(57)【要約】【課題】ピンと接触することによりベルト穴が変形することを抑制することができる補強部材およびそれを備えたランドセルを提供する。【解決手段】補強部材１０は、ベルト３のベルト本体３１を挿通可能な挿通空間が設けられた取付部１１と、取付部１１に接続され、ピン３ｃが係止される係止穴１３が設けられた舌片部１２とを備えている。舌片部１２は、挿通空間にベルト本体３１が挿通された状態で、ベルト穴３ａ１に挿入されたピン３ｃが係止穴１３に係止されるように構成されている。【選択図】図２
2019213615.tif 000002
【特許請求の範囲】
【請求項１】
バックル本体と、前記バックル本体に当接可能なピンと、前記ピンが挿入されるベルト穴が設けられたベルト本体とを含むベルトに取り付けるための補強部材であって、
前記ベルトの前記ベルト本体を挿通可能な挿通空間が設けられた取付部と、
前記取付部に接続され、前記ピンが係止される係止穴が設けられた舌片部とを備え、
前記舌片部は、前記挿通空間に前記ベルト本体が挿通された状態で、前記ベルト穴に挿入された前記ピンが前記係止穴に係止されるように構成されている、補強部材。
【請求項２】
前記ベルト本体は、上ベルトと、下ベルトとを含み、
前記ベルトは、前記下ベルトに取り付けられており、かつ前記上ベルトおよび前記舌片部を挿通可能な環状部材とを含み、
前記舌片部は、前記環状部材に前記上ベルトとともに挿通された状態で、前記環状部材に保持されるように構成されている、請求項１に記載の補強部材。
【請求項３】
前記係止穴の直径は、前記ベルト穴の直径よりも小さい、請求項１または２に記載の補強部材。
【請求項４】
前記挿通空間に前記ベルト本体が挿通された状態で、前記舌片部の幅は前記舌片部に重なる前記ベルト本体の幅よりも大きい、請求項１〜３のいずれか１項に記載の補強部材。
【請求項５】
反射部材をさらに備え、
前記反射部材は、前記取付部の外表面に取り付けられている、請求項１〜４のいずれか１項に記載の補強部材。
【請求項６】
前記舌片部の硬度は、前記ベルト本体の硬度よりも大きい、請求項１〜５のいずれか１項に記載の補強部材。
【請求項７】
請求項１〜６のいずれか１項に記載の前記補強部材と、
前記補強部材が取り付けられた前記ベルトとを備えた、ランドセル。
【発明の詳細な説明】
【技術分野】
【０００１】
本発明は、補強部材およびランドセルに関するものである。
【背景技術】
【０００２】
従来、ランドセルのベルトには、ベルトの長さを調整するためのバックルが設けられている。例えば、特開２０１２−１３０４７１号公報（特許文献１）には、バックルが設けられたベルトを備えたランドセルが記載されている。このランドセルのベルトは、上ベルトと、下ベルトとを含んでいる。上ベルトと下ベルトとはバックルにより連結されている。バックルは、バックル本体（連結環）と、ピン（止着針）とを含んでいる。バックル本体に挿通された上ベルトのベルト穴にピンが挿入されている。
【先行技術文献】
【特許文献】
【０００３】
【特許文献１】特開２０１２−１３０４７１号公報
【発明の概要】
【発明が解決しようとする課題】
【０００４】
上記公報に記載されたランドセルでは、単純に、ベルト穴にピンが挿入されているため、ピンと接触することによりベルト穴が大きく変形する。例えば、ランドセルが展示された際にベルト穴が大きく変形すると、このランドセルは販売に適さないものとして販売されないことがある。
【０００５】
本発明は上記課題に鑑みてなされたものであり、その目的は、ピンと接触することによりベルト穴が変形することを抑制することができる補強部材およびそれを備えたランドセルを提供することである。
【課題を解決するための手段】
【０００６】
本発明の補強部材は、バックル本体と、バックル本体に当接可能なピンと、ピンが挿入されるベルト穴が設けられたベルト本体とを含むベルトに取り付けるための補強部材である。補強部材は、ベルトのベルト本体を挿通可能な挿通空間が設けられた取付部と、取付部に接続され、ピンが係止される係止穴が設けられた舌片部とを備えている。舌片部は、挿通空間にベルト本体が挿通された状態で、ベルト穴に挿入されたピンが係止穴に係止されるように構成されている。
【発明の効果】
【０００７】
本発明の補強部材によれば、舌片部は、挿通空間にベルト本体が挿通された状態で、ベルト穴に挿入されたピンが係止穴に係止されるように構成されている。このため、補強部材により、ピンがベルト穴に接触することを抑制することができる。したがって、ピンと接触することによりベルト穴が変形することを抑制することができる。
【図面の簡単な説明】
【０００８】
【図１】本発明の一実施の形態におけるランドセルの概略斜視図である。
【図２】本発明の一実施の形態における補強部材がランドセルのベルトに取り付けられた状態を示す概略正面図である。
【図３】本発明の一実施の形態における補強部材がランドセルのベルトに取り付けられた状態を示す概略背面図である。
【図４】本発明の一実施の形態における補強部材がランドセルのベルトに取り付けられた状態を示す概略側面図である。
【図５】本発明の一実施の形態における補強部材がランドセルのベルトに取り付けられた状態を示す概略断面図である。
【図６】本発明の一実施の形態における補強部材を上端側から見た概略斜視図である。
【図７】本発明の一実施の形態における補強部材を下端側から見た概略斜視図である。
【図８】本発明の一実施の形態における補強部材の概略分解斜視図である。
【図９】本発明の一実施の形態における変形例１の補強部材の概略斜視図である。
【図１０】本発明の一実施の形態における変形例２の補強部材の概略斜視図である。
【図１１】本発明の一実施の形態における変形例３の補強部材の概略斜視図である。
【発明を実施するための形態】
【０００９】
以下、本発明の一実施の形態について図に基づいて説明する。なお、以下の図においては、同一または相当する部分に同一の符号を付すものとし、重複する説明は繰り返さない。
【００１０】
最初に本発明の一実施の形態における補強部材が取り付けられたベルトを備えたランドセルの構成について説明する。
【００１１】
図１を参照して、本実施の形態におけるランドセル１００は、収容部１と、蓋部２と、一対のベルト３と、連結部材４と、補強部材１０とを主に有している。収容部１は、背部１ａと、一対の側部１ｂと、正面部１ｃと、底部１ｄとを有している。収容部１は上端に開口部を有している。収容部１は開口部に連通する内部空間を有している。内部空間は、背部１ａ、一対の側部１ｂ、正面部１ｃおよび底部１ｄのそれぞれの内周面によって取り囲まれた空間である。収容部１は開口部を通して内部空間に教科書等を収容可能に構成されている。蓋部２は、収容部１の背部１ａの上端に接続されており、背部１ａの上端を基端にして開口部を開閉可能に構成されている。
【００１２】
一対のベルト３はそれぞれ収容部１に接続されている。具体的には、一対のベルト３のそれぞれの一端が連結部材４を介して背部１ａの上端部に接続されている。また一対のベルト３のそれぞれの他端が図示しない接続部材を介して底部１ｄに接続されている。一対のベルト３は、左右に１本ずつ設けられている。一対のベルト３は、使用者がランドセル１００を背負ったときに使用者の両肩に装着されるように構成されている。
【００１３】
ベルト３は、ベルト本体３１と、バックル３２とを主に有している。ベルト本体３１は、上ベルト３ａと、下ベルト３ｂとを含んでいる。上ベルト３ａにベルト穴３ａ１が設けられている。ベルト穴３ａ１は複数個設けられている。ベルト穴３ａ１は、上ベルト３ａを厚さ方向に貫通するように設けられている。上ベルト３ａの上端が連結部材４によって背部１ａの上端部に取り付けられている。下ベルト３ｂの下端が図示しない接続部材によって底部１ｄに取り付けている。
【００１４】
上ベルト３ａと下ベルト３ｂとはバックル３２によって連結されている。バックル３２によってベルト３の長さ調整が可能となる。バックル３２は、ピン３ｃと、バックル本体３ｄとを有している。バックル３２は下ベルト３ｂの上端に取り付けられている。ピン３ｃは、ベルト穴３ａ１に挿入されるように構成されている。ピン３ｃは、バックル本体３ｄに当接可能に構成されている。バックル本体３ｄは、上ベルト３ａを挿通可能に構成されている。また、バックル本体３ｄは、後述する補強部材１０の舌片部１２を挿通可能に構成されている。
【００１５】
ベルト３は、環状部材３ｅおよび環状部材３ｆをさらに含んでいる。環状部材３ｅおよび環状部材３ｆは下ベルト３ｂに取り付けられている。環状部材３ｅおよび環状部材３ｆは環状に構成されている。環状部材３ｅおよび環状部材３ｆは上ベルト３ａを挿通可能に構成されている。また、環状部材３ｅは、後述する補強部材１０の舌片部１２を挿通可能に構成されている。
【００１６】
環状部材３ｅおよび環状部材３ｆは互いに離れて配置されている。環状部材３ｅはバックル３２と隣り合うように配置されている。環状部材３ｆは、環状部材３ｅよりも下ベルト３ｂの下端側に配置されている。環状部材３ｆは下ベルト３ｂを挿通可能に構成されている。環状部材３ｆは下ベルト３ｂに沿って上下に移動可能に構成されている。
【００１７】
ベルト３は、カバー部材３ｇをさらに含んでいる。カバー部材３ｇは下ベルト３ｂの上端に取り付けられている。カバー部材３ｇは下ベルト３ｂの上端から張り出した張出部３ｇ１を含んでいる。カバー部材３ｇは、張出部３ｇ１に上ベルト３ａを挿通可能に構成されている。張出部３ｇ１は、上ベルト３ａが挿通された状態で、上ベルト３ａとバックル本体３ｄとの間に配置されている。なお、図２〜図５では、説明の便宜のため、カバー部材３ｇの張出部３ｇ１は部分的に省略されている。
【００１８】
図１および図２を参照して、補強部材１０は、ベルト３に取り付けるためのものである。補強部材１０はベルト穴３ａ１を補強するためのものである。補強部材１０は、一対のベルト３の各々に取り付けられている。
【００１９】
図２および図３を参照して、補強部材１０は、取付部１１と、舌片部１２とを備えている。取付部１１はベルト本体３１に取り付けられるように構成されている。取付部１１にはベルト３のベルト本体３１を挿通可能な挿通空間ＳＰ（図６参照）が設けられている。舌片部１２は、取付部１１に接続されている。舌片部１２は、ベルト本体３１に沿って延在するように構成されている。舌片部１２は、ベルト本体３１に沿って曲がるように可撓性を有している。舌片部１２にはピン３ｃが係止される係止穴１３が設けられている。係止穴１３は舌片部１２厚さ方向に貫通するように構成されている。係止穴１３はベルト穴３ａ１に重なるように構成されている。
【００２０】
舌片部１２は、第１舌片部材１２ａと、第２舌片部材１２ｂとを含んでいる。第１舌片部材１２ａおよび第２舌片部材１２ｂは、ベルト本体３１を挟むように配置されている。第１舌片部材１２ａおよび第２舌片部材１２ｂの各々に係止穴１３が設けられている。
【００２１】
舌片部１２の係止穴１３の直径は、ベルト穴３ａ１の直径よりも小さい。取付部１１の挿通空間ＳＰにベルト本体３１が挿通された状態で、舌片部１２の幅は舌片部１２に重なるベルト本体３１の幅よりも大きい。つまり、舌片部１２がベルト本体３１に重なる領域において舌片部１２の幅はベルト本体３１の幅よりも大きい。また、舌片部１２の幅は、取付部１１の幅よりも小さい。
【００２２】
図４および図５を参照して、ベルト穴３ａ１は上ベルト３ａの表面から裏面に亘って貫通するように設けられている。ピン３ｃは上ベルト３ａの裏面から表面にベルト穴３ａ１に挿入されている。ピン３ｃの先端はバックル本体３ｄに係止されている。ピン３ｃの上側および下側の部分は舌片部１２の係止穴１３に係止されている。舌片部１２は、取付部１１の挿通空間ＳＰにベルト本体３１が挿通された状態で、ベルト穴３ａ１に挿入されたピン３ｃが係止穴１３に係止されるように構成されている。このため、舌片部１２がベルト穴３ａ１に接触することを抑制することが可能となる。
【００２３】
舌片部１２は、環状部材３ｅに上ベルト３ａとともに挿通された状態で、環状部材３ｅに保持されるように構成されている。このため、環状部材３ｅにより舌片部１２の先端を保持することが可能となる。また、舌片部１２は、環状部材３ｅに加えて環状部材３ｆに保持されるように構成されていてもよい。
【００２４】
舌片部１２の硬度は、ベルト本体３１の硬度よりも大きい。舌片部１２の材料は、例えば低密度ポリエチレン（ＬＤＰＥ）である。ベルト本体３１の材料は、例えば人工皮革、天然皮革等である。
【００２５】
図６および図７を参照して、取付部１１は環状に構成されている。取付部１１の上端に第１開口ＯＰ１が設けられており、下端に第２開口ＯＰ２が設けられている。第１開口ＯＰ１は第２開口ＯＰ２に対向するように配置されている。挿通空間ＳＰは、第１開口ＯＰ１と第２開口ＯＰ２とを繋ぐように構成されている。取付部１１の外壁部は、挿通空間ＳＰを囲むように構成されている。
【００２６】
なお、本実施の形態では、取付部１１の外壁部は、挿通空間ＳＰを全周に亘って囲むように構成されているが、ベルト３（図１参照）が挿通空間ＳＰに挿通された状態で取付部１１がベルト３に取り付けられていればよく、取付部１１の外壁部は、挿通空間ＳＰを全周に亘って囲んでいなくてもよい。
【００２７】
舌片部１２は、第２開口ＯＰ２に対して第１開口ＯＰ１と反対側に向けて取付部１１から突出している。第１舌片部材１２ａおよび第２舌片部材１２ｂは互いに向かい合うように配置されている。第１舌片部材１２ａおよび第２舌片部材１２ｂの各々の係止穴１３は、第１舌片部材１２ａおよび第２舌片部材が互いに向かい合うよう方向に重なるように配置されている。
【００２８】
舌片部１２は舌片状に構成されている。つまり、舌片部１２は薄板状に構成されている。舌片部１２の厚みは、例えば０．８ｍｍである。舌片部１２は正面視において略長方形状に構成されている。舌片部１２は取付部１１に片持ち支持されている。すなわち、舌片部１２の根元は取付部１１に固定された固定端であり、舌片部１２の先端は自由に移動可能な自由端である。舌片部１２の先端の両端はラウンド形状に構成されている。また、第１舌片部材１２ａおよび第２舌片部材１２ｂは互いに同じ形状に構成されている。
【００２９】
図６〜図８を参照して、取付部１１は、一方端部１１ａと、他方端部１１ｂと、固定部材１１ｃとを含んでいる。図６および図７に示されるように、補強部材１０は、一方端部１１ａに他方端部１１ｂが重なるように折り曲げられている。なお、図８では、説明の便宜のため、取付部１１を展開して示している。
【００３０】
一方端部１１ａに他方端部１１ｂが重ねられた状態で一方端部１１ａおよび他方端部１１ｂは固定部材１１ｃにより固定されている。具体的には、固定部材１１ｃは、第１固定部材１１ｃ１と、第２固定部材１１ｃ２とを含んでいる。第１固定部材１１ｃ１は、第１頭部Ｈ１と、凸部ＰＰとを有している。凸部ＰＰは、第１頭部Ｈ１から第２固定部材１１ｃ２に向けて突出している。第２固定部材１１ｃ２は、第２頭部Ｈ２と、凹部ＨＰとを有している。凹部ＨＰは、第２頭部Ｈ２から第１固定部材１１ｃ１に向けて突出する壁部と、壁部の中央に設けられた凹みとを有している。
【００３１】
また、一方端部１１ａおよび他方端部１１ｂの各々には貫通孔１４が設けられている。固定部材１１ｃは、一方端部１１ａおよび他方端部１１ｂの各々の貫通孔１４に凸部ＰＰおよび凹部ＨＰが挿入された状態で、凸部ＰＰが凹部ＨＰに係合するように構成されている。このため、取付部１１を折り曲げることによりベルト本体３１に取り付けることが可能となる。
【００３２】
次に、本実施の形態の作用効果について説明する。
本実施の形態における補強部材１０によれば、舌片部１２は、取付部１１の挿通空間ＳＰにベルト本体３１が挿通された状態で、ベルト穴３ａ１に挿入されたピン３ｃが係止穴１３に係止されるように構成されている。このため、補強部材１０により、ピン３ｃがベルト穴３ａ１に接触することを抑制することができる。したがって、ピン３ｃと接触することによりベルト穴３ａ１が変形することを抑制することができる。
【００３３】
これにより、ランドセル１００が展示された際にベルト穴３ａ１が変形することを抑制することができるため、このランドセル１００を販売に適した状態に維持することができる。よって、このランドセル１００を展示後に販売することができる。
【００３４】
本実施の形態における補強部材１０によれば、舌片部１２は、環状部材３ｅに上ベルト３ａとともに挿通された状態で、環状部材３ｅに保持されるように構成されている。このため、環状部材３ｅにより舌片部１２を保持することができる。したがって、補強部材１０を取付部１１と環状部材３ｅとでベルト本体３１に保持することができる。これにより、補強部材１０をしっかりとベルト本体３１に保持することができる。
【００３５】
本実施の形態における補強部材１０によれば、補強部材１０の係止穴１３の直径は、ベルト３のベルト穴３ａ１の直径よりも小さい。このため、ピン３ｃを係止穴１３に係止することにより、ピン３ｃをベルト穴３ａ１に接触しないようにすることが容易となる。したがって、ピン３ｃと接触することによりベルト穴３ａ１が変形することを抑制することが容易となる。
【００３６】
本実施の形態における補強部材１０によれば、挿通空間ＳＰにベルト本体３１が挿通された状態で、舌片部１２の幅は舌片部１２に重なるベルト本体３１の幅よりも大きい。このため、舌片部１２によりベルト本体３１を保護することが容易となる。
【００３７】
本実施の形態における補強部材１０によれば、舌片部１２の硬度は、ベルト本体３１の硬度よりも大きい。このため、ピン３ｃが舌片部１２に接触した際に、ピン３ｃを係止することが容易となる。
【００３８】
次に、本発明の一実施の形態における変形例１〜３の補強部材１０について説明する。
図９を参照して、本発明の一実施の形態における変形例１の補強部材１０について説明する。本実施の形態における変形例１の補強部材１０は、反射部材１５をさらに備えている。反射部材１５は、取付部１１の外表面に取り付けられている。本実施の形態における変形例１では、反射部材１５は固定部材１１ｃに取り付けられている。
【００３９】
本発明の一実施の形態における変形例１の補強部材１０によれば、反射部材１５は、取付部１１の外表面に取り付けられている。このため、反射部材１５が車のライトなどを反射することにより、車のドライバーの注意を喚起することが可能となる。したがって、ランドセル１００の使用者の安全性を向上させることができる。
【００４０】
また、反射部材１５が固定部材１１ｃに取り付けられているため、反射部材１５を取付部１１に取り付けることが容易となる。
【００４１】
続いて、図１０を参照して、本発明の一実施の形態における変形例２の補強部材１０について説明する。本実施の形態における変形例２の補強部材１０では、図６に示す取付部１１は固定部材１１ｃを有していない。つまり、取付部１１は筒状に構成されている。このため、補強部材１０の構造を簡略化することが可能となる。また、補強部材１０のコストを低減することが可能となる。
【００４２】
さらに、図１１を参照して、本発明の一実施の形態における変形例３の補強部材１０について説明する。本実施の形態における変形例３の補強部材１０では、舌片部１２は１つである。このため、補強部材１０の構造を簡略化することが可能となる。また、補強部材１０のコストを低減することが可能となる。
【００４３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００４４】
１  収容部、２  蓋部、３  ベルト、３ａ  上ベルト、３ａ１  ベルト穴、３ｂ  下ベルト、３ｃ  ピン、３ｄ  バックル本体、３ｅ，３ｆ  環状部材、３ｇ  カバー部材、４  連結部材、１０  補強部材、１１  取付部、１１ａ  一方端部、１１ｂ  他方端部、１１ｃ  固定部材、１２  舌片部、１２ａ  第１舌片部材、１２ｂ  第２舌片部材、１３  係止穴、１４  貫通孔、１５  反射部材、３１  ベルト本体、３２  バックル、ＳＰ  挿通空間。
【図１】
2019213615.tif 000003
【図２】
2019213615.tif 000004
【図３】
2019213615.tif 000005
【図４】
2019213615.tif 000006
【図５】
2019213615.tif 000007
【図６】
2019213615.tif 000008
【図７】
2019213615.tif 000009
【図８】
2019213615.tif 000010
【図９】
2019213615.tif 000011
【図１０】
2019213615.tif 000012
【図１１】
2019213615.tif 000013
【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
バックル本体と、前記バックル本体に当接可能なピンと、前記ピンが挿入されるベルト穴が設けられたベルト本体とを含むベルトに取り付けるための補強部材であって、
前記ベルトの前記ベルト本体を挿通可能な挿通空間が設けられた取付部と、
前記取付部に接続され、前記ピンが係止される係止穴が設けられた舌片部とを備え、
前記舌片部は、前記挿通空間に前記ベルト本体が挿通された状態で、前記ベルト穴に挿入された前記ピンが前記係止穴に係止されるように構成されており、
前記係止穴は前記舌片部を厚さ方向に貫通するように構成されており、
前記係止穴は前記ベルト穴に重なるように構成されており、
前記舌片部は、第１舌片部材と、第２舌片部材とを含んでおり、
前記第１舌片部材および前記第２舌片部材は、前記ベルト本体を挟むように配置されており、
前記第１舌片部材および前記第２舌片部材の各々に前記係止穴が設けられている、補強部材。
【請求項２】
前記ベルト本体は、上ベルトと、下ベルトとを含み、
前記ベルトは、前記下ベルトに取り付けられており、かつ前記上ベルトおよび前記舌片部を挿通可能な環状部材とを含み、
前記舌片部は、前記環状部材に前記上ベルトとともに挿通された状態で、前記環状部材に保持されるように構成されている、請求項１に記載の補強部材。
【請求項３】
前記係止穴の直径は、前記ベルト穴の直径よりも小さい、請求項１または２に記載の補強部材。
【請求項４】
前記挿通空間に前記ベルト本体が挿通された状態で、前記舌片部の幅は前記舌片部に重なる前記ベルト本体の幅よりも大きい、請求項１〜３のいずれか１項に記載の補強部材。
【請求項５】
反射部材をさらに備え、
前記反射部材は、前記取付部の外表面に取り付けられている、請求項１〜４のいずれか１項に記載の補強部材。
【請求項６】
前記舌片部の硬度は、前記ベルト本体の硬度よりも大きい、請求項１〜５のいずれか１項に記載の補強部材。
【請求項７】
請求項１〜６のいずれか１項に記載の前記補強部材と、
前記補強部材が取り付けられた前記ベルトとを備えた、ランドセル。
【手続補正２】
【補正対象書類名】明細書
【補正対象項目名】０００６
【補正方法】変更
【補正の内容】
【０００６】
本発明の補強部材は、バックル本体と、バックル本体に当接可能なピンと、ピンが挿入されるベルト穴が設けられたベルト本体とを含むベルトに取り付けるための補強部材である。補強部材は、ベルトのベルト本体を挿通可能な挿通空間が設けられた取付部と、取付部に接続され、ピンが係止される係止穴が設けられた舌片部とを備えている。舌片部は、挿通空間にベルト本体が挿通された状態で、ベルト穴に挿入されたピンが係止穴に係止されるように構成されている。係止穴は舌片部を厚さ方向に貫通するように構成されている。係止穴はベルト穴に重なるように構成されている。舌片部は、第１舌片部材と、第２舌片部材とを含んでいる。第１舌片部材および第２舌片部材は、ベルト本体を挟むように配置されている。第１舌片部材および第２舌片部材の各々に係止穴が設けられている。